(57)【特許請求の範囲】
【請求項１】
頂板２外周から内面に複数の係合突条３を縦設する周壁４を垂下すると共に、頂板中央部を隆起して小帽部５となし、該小帽部の上面中心と、該小帽部を囲む頂板部分の複数箇所とに小透孔６を、それぞれ穿設し、又上記周壁外面の複数箇所に下端面開口でかつ同長とした縦溝部８上端から、同一傾斜角度で傾斜溝部９を同一方向、同一長さだけ延長するガイド溝７を穿設する主筒１と、該主筒周壁４外面へ、強制回動可能に筒部11を嵌合させて、該筒部11内面に、上記ガイド溝内を摺動可能な係合突子12を各傾斜溝部９上端へ係合させて付設し、かつ筒部11上部を小外径部13とすると共に上端面を上記主筒周壁４の上端面とほぼ同一高さとしたつまみ筒10と、上記小帽部５に穿設した小透孔を通って、小帽部内から小帽部外方へ隆出して小帽部外面および頂板２上面に下面を付着し、又頂板に穿設した各小透孔６を通って一部を頂板内面側へ固着する棒状化粧品15と、上記つまみ筒10上部の小外径部13外面に、周壁17下端部を着脱自在に嵌合させると共に、該周壁上部内面に、主筒周壁４の上端部外周面と上端面外周部とを気密に嵌合できる起立面18付きの下向き段部19を有し、該下向き段部から、棒状化粧品外面を形成した内壁面を有するドーム状頂部21を、棒状化粧品外面との間に間隙をおいて起立する型カバー兼用キャップ16とで形成したことを特徴とする、棒状化粧品サンプル容器。
【請求項２】
頂板２外周から内面に複数の係合突条３を縦設する周壁４を垂下すると共に、頂板中央部を隆起して小帽部５となし、該小帽部の上面中心と、該小帽部を囲む頂板部分の複数箇所とに小透孔６を、それぞれ穿設し、又上記周壁外面の複数箇所に下端面開口でかつ同長とした縦溝部８上端から、同一傾斜角度で傾斜溝部９を同一方向、同一長さだけ延長するガイド溝７を穿設した主筒１を設けて、該主筒外面へつまみ筒10を、該つまみ筒の筒部11内面に付設した係合突子12を上記縦溝部を通って傾斜溝部９の下部内に位置させて強制回動可能にかつ主筒上部に非嵌合部分を残して嵌合させ、又該つまみ筒10上部の小外径部13に型カバー兼用キャップ16の周壁17下部を着脱自在に嵌合させると共に、その周壁17の上部内面に起立面18付きの下向き段部19を設けて主筒周壁４の上端部外周面と上端面外周部とを気密に嵌合させて、それ等主筒１とつまみ筒10と型カバー兼用キャップ16とで棒状化粧品充填体25を形成させ、該充填体倒立状態で主筒１の小帽部５内から小透孔６を通して溶融化粧品を型カバー兼用キャップ16内へ、頂板２の小透孔６を通って頂板内方へ溢出するまで流込み、該溶融化粧品固化後、主筒１内面の係合突条３利用によりつまみ筒10に対して主筒１を螺降させて係合突子12を傾斜溝部９上端へ係合させ、かつこのとき主筒周壁４の上面とつまみ筒10上端面とがほぼ同一高さに位置するよう設けて形成することを特徴とする、棒状化粧品サンプル容器の形成方法。
【発明の詳細な説明】
【０００１】
【産業上の利用分野】
本発明は、小さなサンプル口紅等を収納する簡易な棒状化粧品用サンプル容器とその形成方法に関する。
【０００２】
【従来の技術】
繰出し容器等に収容した口紅は周知である。
【０００３】
ところで、近年、口紅のサンプル容器として、図７及び図８に示す簡易なサンプル容器が出回っている。
【０００４】
このサンプル容器は、上端部を段付き小径の口紅支持部Ａａとした主筒Ａと、該口紅支持部の外周に離脱可能に嵌合させた型カバーＢと、その主筒Ａの下端に嵌合させる底板Ｃと、上記口紅支持部Ａａに着脱自在に嵌合させるキャップＤとから成り、主筒Ａの口紅支持部Ａａの外周に型カバーＢを嵌合させ、この結合両者を倒立させて、型カバーＢ乃至上記口紅支持部Ａａ内に適量の溶融化粧品を充填し、かつ、固化させることにより、小棒状口紅Ｅを形成させ、次いで、その主筒Ａの下端に底板Ｃを嵌着するとともに、型カバーＢを除去し、主筒Ａの口紅支持部Ａａの外周にキャップＤを着脱自在に嵌合させて、小棒状口紅入り容器として組み立てたものである（商標名「イヴ・サンローラン」）。
【０００５】
【発明が解決しようとする課題】
上記サンプル容器は、型カバーＢの取外しを注意深く行わないと、口紅を傷つけることがあって面倒であると共に、型カバーを廃棄して別に設けたキャップを嵌合させるから無駄が多く、又口紅支持部Ａａによる口紅保持が充分でなく、その保持を確実とするため、その口紅支持部分内に残して実際上は使用できない口紅部分の量を大としなければならない欠点があった。
【０００６】
本発明は、型カバーを口紅から離型した後、キャップとしてそのまま使用できるようにすると共に、主筒に対する口紅の連結を確実とし、又主筒上面から突設した小帽部を口紅内に埋没させることで、実際には使用されない口紅部分を極めて減少させ、しかもサンプルとしての使用が便利であるよう設けたものである。
【０００７】
【課題を解決するための手段】
頂板２外周から内面に複数の係合突条３を縦設する周壁４を垂下すると共に、頂板中央部を隆起して小帽部５となし、該小帽部の上面中心と、該小帽部を囲む頂板部分の複数箇所とに小透孔６を、それぞれ穿設し、又上記周壁外面の複数箇所に下端面開口でかつ同長とした縦溝部８上端から、同一傾斜角度で傾斜溝部９を同一方向、同一長さだけ延長するガイド溝７を穿設する主筒１と、該主筒周壁４外面へ、強制回動可能に筒部11を嵌合させて、該筒部11内面に、上記ガイド溝内を摺動可能な係合突子12を各傾斜溝部９上端へ係合させて付設し、かつ筒部11上部を小外径部13とすると共に上端面を上記主筒周壁４の上端面とほぼ同一高さとしたつまみ筒10と、上記小帽部５に穿設した小透孔を通って、小帽部内から小帽部外方へ隆出して小帽部外面および頂板２上面に下面を付着し、又頂板に穿設した各小透孔６を通って一部を頂板内面側へ固着する棒状化粧品15と、上記つまみ筒10上部の小外径部13外面に、周壁17下端部を着脱自在に嵌合させると共に、該周壁上部内面に、主筒周壁４の上端部外周面と上端面外周部とを気密に嵌合できる起立面18付きの下向き段部19を有し、該下向き段部から、棒状化粧品外面を形成した内壁面を有するドーム状頂部21を、棒状化粧品外面との間に間隙をおいて起立する型カバー兼用キャップ16とで形成した。
【０００８】
頂板２外周から内面に複数の係合突条３を縦設する周壁４を垂下すると共に、頂板中央部を隆起して小帽部５となし、該小帽部の上面中心と、該小帽部を囲む頂板部分の複数箇所とに小透孔６を、それぞれ穿設し、又上記周壁外面の複数箇所に下端面開口でかつ同長とした縦溝部８上端から、同一傾斜角度で傾斜溝部９を同一方向、同一長さだけ延長するガイド溝７を穿設した主筒１を設けて、該主筒外面へつまみ筒10を、該つまみ筒の筒部11内面に付設した係合突子12を上記縦溝部を通って傾斜溝部９の下部内に位置させて強制回動可能にかつ主筒上部に非嵌合部分を残して嵌合させ、又該つまみ筒10上部の小外径部13に型カバー兼用キャップ16の周壁17下部を着脱自在に嵌合させると共に、その周壁17の上部内面に起立面18付きの下向き段部19を設けて主筒周壁４の上端部外周面と上端面外周部とを気密に嵌合させて、それ等主筒１とつまみ筒10と型カバー兼用キャップ16とで棒状化粧品充填体25を形成させ、該充填体倒立状態で主筒１の小帽部５内から小透孔６を通して溶融化粧品を型カバー兼用キャップ16内へ、頂板２の小透孔６を通って頂板内方へ溢出するまで流込み、該溶融化粧品固化後、主筒１内面の係合突条３利用によりつまみ筒10に対して主筒１を螺降させて係合突子12を傾斜溝部９上端へ係合させ、かつこのとき主筒周壁４の上面とつまみ筒10上端面とがほぼ同一高さに位置するよう設けて形成する。
【０００９】
【実施例】
本発明サンプル容器は、主筒とつまみ筒と棒状化粧品と型カバー兼用キャップとで形成している。
【００１０】
主筒１は、頂板２外周から内面に複数の係合突条３を縦設した周壁４を垂下すると共に、その頂板中央部を隆起して小帽部５となし、その小帽部の上面中心と、該小帽部を囲む頂板部分の複数箇所に小透孔６を穿設している。小帽部周壁は頂板２下方まで垂設してもよい。又周壁外面の複数箇所には複数のガイド溝７を穿設している。ガイド溝は、下端面開口でかつ同長とした縦溝部８上端から、同一傾斜角度で傾斜溝部９を、同一方向、同一長さだけ延長して形成している。
【００１１】
つまみ筒１０は、上記主筒周壁４の外面へ、強制回動可能に、つまりややかた嵌め状態に筒部１１を嵌合させ、その筒部内面に、上記ガイド溝内を摺動可能な係合突子１２を、各傾斜溝部９上端へ係合させて付設している。又筒部１１上部は小外径部１３とすると共に、筒部上端面は既述主筒周壁４の上端面とはぼ同一高さに位置させている。尚上記小外径部１３は後述型カバー兼用キャップの嵌合用部であり、その嵌合を確実とするため小外径部の中間部外面に係合突条１４を周設するとよい。
【００１２】
棒状化粧品１５は、既述主筒の小帽部５内からその上面に穿設した小透孔６を通って小帽部外方へ隆起して、小帽部外面および頂板２上面へ下面を付着し、又頂板の小透孔６を通って一部を頂板内面側へ固着している。その外形は半球状に形成している。
【００１３】
型カバー兼用キャップ１６は、つまみ筒１０上部の小外径部１３外面へ、周壁１７下端部を着脱自在に嵌合すると共に周壁上部内面に、主筒周壁４の上端部外周面と上端面外周部とを気密に嵌合できる起立面１８付きの下向き段部１９を有し、該下向き段部から、棒状化粧品外面へ気密に接することの可能な内壁面２０を有するドーム状頂部２１を起立する。その内壁面２０と棒状化粧品１５との間には適当間隙を設けている。
【００１４】
棒状化粧品１５を除く各部材は合成樹脂による一体成形品である。
【００１５】
上記サンプル容器の形成は次のようにして行う。
【００１６】
まず図２が示すように、まずつまみ筒１０上方へ主筒１を、該主筒のガイド溝７の縦溝部８下方に係合突子１２を位置させて設け、係合突子１７が縦溝部８下端からその縦溝部内へ入るよう、つまみ筒１０を主筒１に対し下降させ、係合突子１２が縦溝部８上端に達した後、主筒１を螺動させることで係合突子１２を傾斜溝部９の下部内に位置させる。該状態で主筒周壁４の上部はつまみ筒１０よりも上方に位置する。該状態から型カバー兼用キャップ１６の周壁１７下部を、つまみ筒上部の小外径部１３へ着脱自在に嵌合させ、その周壁上部内面に設けた起立面１８付きの下向き段部１９へ、主筒周壁の上端部外周面と上端面外周部とを気密に嵌合させる。
【００１７】
このように、主筒１とつまみ筒１０と型カバー兼用キャップ１６とで棒状化粧品充填体２５を形成させ、該充填体を図３の倒立状態で、主筒１の小帽部５内から小透孔６を通って型カバー兼用キャップ１６内へ溶融化粧品を流込む。該流込みは頂板２の小透孔６を通ってその溶融化粧品が頂板内方へ溢出するまで行う。その溶融化粧品固化の後、図６が示すような治具２７を用いてつまみ筒１０に対して主筒１を、係合突子１２が傾斜溝部９上端に係合するまで下降させることで、型カバー兼用キャップ１６内面から棒状化粧品１５を離型させる。
【００１８】
図示例で治具２７は、主筒周壁４の内面へ嵌合できる筒部２８外面に、主筒の係合突条３と係合する突条２９を縦設しているが、つまみ筒１０に対して主筒１を螺降できるものであれば、その他どのようなものでもよい。
【００１９】
該主筒螺降時において、つまみ筒１０の筒部上端面と主筒周壁４の上端面とはほぼ同一高さとなるよう設ける。
【００２０】
【発明の効果】
本発明は既述構成とするもので、主筒１の頂板２中央部を小帽部５として、その小帽部外面および頂板２上面へ、棒状化粧品１５の下面を付着させるから、比較的少量の化粧品を棒状に形成して突出させることが出来ると共に、その棒状化粧品１５は、上記小帽部の上面中心に穿設した小透孔６を通って小帽部５内から小帽部外方へ隆出され、かつ頂板２に穿設した小透孔６を通って棒状化粧品一部を頂板２内面側へ固着するため、主筒１に対する棒状化粧品１５の取付けを効率的に行うことが出来る。更に主筒周壁４外面へつまみ筒１０を強制回動可能に、つまりややかた嵌め状態に嵌合させると共に、つまみ筒内面の係合突子１２は主筒ガイド溝の傾斜溝部９上端へ係合するから、棒状化粧品を被塗布面へ押付ける等しても、つまみ筒１０に対して主筒１が下降するようなことが全くない。
【００２１】
又請求項２のサンプル容器形成方法は、主筒１のガイド溝傾斜溝部９の下部内へ係合突子１２を位置させて、主筒周壁外面へつまみ筒１０を嵌合させると共に、そのつまみ筒１０上部の小外径部１３外面へ周壁１７下部を嵌合させ、又その周壁１７上部内面に設けた、起立面１８付きの下向き段部１９へ主筒周壁４の上端部外周面と上端面外周部とを気密に嵌合させて、型カバー兼用キャップ１６を設け、それ等主筒１とつまみ筒１０と型カバー兼用キャップ１６とで棒状化粧品充填体２５を形成し、該充填体倒立状態で、主筒１の小帽部５内から小透孔６を通して型カバー兼用キャップ１６内へ、頂板の小透孔１６を通って頂板内方へ溢出するまで溶融化粧品を流込みし、該化粧品固化の後、つまみ筒１０に対して主筒１を係合突子１２が傾斜溝部９上端へ係合するまで螺降するだけで形成できるから、その形成が極めて容易であると共に、上記棒状化粧品充填体２５を形成する各部材のすべてが、そのままサンプル容器構成部材となるため、無駄を省くことができる。
【図面の簡単な説明】
【図１】本発明サンプル容器の断面図である。
【図２】図１サンプル容器主要部材の分解図である。
【図３】図１容器の棒状化粧品形成以前の状態における、各部材の組付け状態を倒立状態で示す断面図である。
【図４】図３容器の平面図である。
【図５】棒状化粧品形成後における、各部材の組付け状態を示す断面図である。
【図６】主要部材回動用治具の要部側面図である。
【図７】従来例サンプル容器の断面図である。
【図８】図７容器の分解断面図である。
【符号の説明】
１…主筒    １０…つまみ筒    １５…棒状化粧品
１６…型カバー兼用キャップ
【図１】
0003611882.tif 000002
【図２】
0003611882.tif 000003
【図３】
0003611882.tif 000004
【図４】
0003611882.tif 000005
【図５】
0003611882.tif 000006
【図６】
0003611882.tif 000007
【図７】
0003611882.tif 000008
【図８】
0003611882.tif 000009